(57)【要約】【課題】ボウル部を流れる洗浄水で目皿を一層洗浄することができる。【解決手段】上下方向に延在し使用者と対向する背壁面及び前記背壁面の下方に位置する底面を有し、使用者からの排尿を受けるボウル部と、ボウル部の背壁面に沿って洗浄水を吐水する吐水部と、ボウル部の底面に形成された凹部と、凹部に形成され、洗浄水及び排尿を排水する排水口部と、排水口部の上方に位置する凹部に取り付けられた目皿と、を備える小便器であって、ボウル部の背壁面は、上方から下方に向けて傾斜して目皿から後退する第１傾斜部と、第１傾斜部の下端から屈曲して傾斜し目皿へ前進する第２傾斜部と、を有し、目皿の上面において少なくとも第２傾斜部側の部分は、第２傾斜部と略面一となっている。【選択図】  図５
2016160596.tif 000002
【特許請求の範囲】
【請求項１】
上下方向に延在し使用者と対向する背壁面及び前記背壁面の下方に位置する底面を有し、前記使用者からの排尿を受けるボウル部と、
前記ボウル部の前記背壁面に沿って洗浄水を吐水する吐水部と、
前記ボウル部の前記底面に形成された凹部と、
前記凹部に形成され、前記洗浄水及び前記排尿を排水する排水口部と、
前記排水口部の上方に位置する前記凹部に取り付けられた目皿と、
を備える小便器であって、
前記ボウル部の前記背壁面は、上方から下方に向けて傾斜して前記目皿から後退する第１傾斜部と、前記第１傾斜部の下端から屈曲して傾斜し前記目皿へ前進する第２傾斜部と、を有し、
前記目皿の上面において少なくとも前記第２傾斜部側の部分は、前記第２傾斜部と略面一となっている、
小便器。
【請求項２】
前記目皿の上面は、水平面に対して傾斜しており、
前記目皿の上面の傾斜方向と前記第２傾斜部の傾斜方向とが略同一である、
請求項１に記載の小便器。
【請求項３】
前記排水口部に連通する排水室部と、
前記凹部において前記排水口部と異なる箇所に設けられ、前記排水室部と連通する掃除口部と、
前記掃除口部に着脱可能に取り付けられて前記掃除口部を閉塞する閉塞具と、
を備え、
前記目皿は、前記排水口部及び前記閉塞具を覆う大きさとされている、
請求項１又は２に記載の小便器。
【請求項４】
前記目皿の上面は、
中央部から上方に突出する頂上部と、
前記頂上部から前記使用者に対して左方向下方に延びる第一洗浄面部と、
前記頂上部から前記使用者に対して右方向下方に延びる第二洗浄面部と、
を含む、
請求項１乃至３の何れか１項に記載の小便器。
【請求項５】
前記目皿の前記第一洗浄面部及び前記第二洗浄面部は、前記使用者に対して左右方向の断面において下方に向けて凹むアール形状である、
請求項４に記載の小便器。
【発明の詳細な説明】
【技術分野】
【０００１】
本発明は、小便器に関する。
【背景技術】
【０００２】
従来から、上下方向に延在し使用者と対向して当該使用者からの排尿を受けるボウル部と、当該ボウル部へ洗浄水を吐水する吐水部と、ボウル部の底面に形成されて吐水及び排尿を排水する排水口と、排水口を覆う目皿と、を備える小便器が知られている。
【０００３】
この小便器に関し、例えば特許文献１には、ボウル部の正面側が、その上端から下部にわたって下方ほど内奥側に位置する前傾部を構成し、この前傾部の下端から凹湾曲部を経て目皿で覆われた排水口への下り勾配部へ移行する構成が開示されている。
【０００４】
また、特許文献２には、ボウル部の正面側が、上下に真っ直ぐな構成が開示されている。
【先行技術文献】
【特許文献】
【０００５】
【特許文献１】特開２０１４−７０３７６号公報（第１図）
【特許文献２】特開２００３−３０１５０４号公報（第２図）
【発明の概要】
【発明が解決しようとする課題】
【０００６】
しかしながら、特許文献１では、目皿が勾配部から上方向きに突出しているため、吐水部から前傾部及び下り勾配部に沿って流れる洗浄水が目皿に流れ込むときに当該目皿と衝突してしまう。この結果、目皿に流れ込む直前の洗浄水の速度が落ちて目皿を十分に洗浄できない虞があった。
【０００７】
一方で、特許文献２では、摘み部分を除き目皿がボウル面から突出していないため、洗浄水が目皿に流れ込むときに当該目皿と衝突することを抑制できるものの、ボウル部の正面側が上下に真っ直ぐであるので、洗浄水が目皿に流れ込むまでの距離を十分に稼ぐことができなくなる虞があった。この結果、目皿を十分に洗浄できない虞があった。
【０００８】
そこで、本発明は、上述した課題を解決するためになされたものであり、ボウル部を流れる洗浄水で目皿を一層洗浄することができる小便器を提供することを目的の一つとしている。
【課題を解決するための手段】
【０００９】
本発明の第１態様に係る小便器は、上下方向に延在し使用者と対向する背壁面及び前記背壁面の下方に位置する底面を有し、前記使用者からの排尿を受けるボウル部と、前記ボウル部の前記背壁面に沿って洗浄水を吐水する吐水部と、前記ボウル部の前記底面に形成された凹部と、前記凹部に形成され、前記洗浄水及び前記排尿を排水する排水口部と、前記排水口部の上方に位置する前記凹部に取り付けられた目皿と、を備える小便器であって、前記ボウル部の前記背壁面は、上方から下方に向けて傾斜して前記目皿から後退する第１傾斜部と、前記第１傾斜部の下端から屈曲して傾斜し前記目皿へ前進する第２傾斜部と、を有し、前記目皿の上面において少なくとも前記第２傾斜部側の部分は、前記第２傾斜部と略面一となっている。
【００１０】
この構成において、吐水部からボウル部の背壁面に沿って吐水された洗浄水は、背壁面の第１傾斜部から第２傾斜部へと沿って流れ、そして凹部に取り付けられた目皿まで流れて、当該目皿と凹部の間に形成される隙間或いは当該目皿の孔を介して排水口部から排水される。
【００１１】
この際、ボウル部の背壁面が、上方から下方に向けて傾斜して目皿から後退する第１傾斜部と、第１傾斜部の下端から傾斜して目皿へ前進する第２傾斜部と、を有するので、ボウル部の背壁面が真っ直ぐな場合に比べて、洗浄水が目皿に流れ込むまでの距離を稼ぐことができ、もって洗浄水が目皿に流れ込む前の洗浄水の速度を大きくすることができる。
また、目皿の上面において少なくとも第２傾斜部側の部分は、第２傾斜部と略面一となっているため、略面一でない場合に比べて、洗浄水が第２傾斜部から目皿に流れるときに当該目皿と衝突して、目皿の上面に流れ込む直前の洗浄水の速度低下が抑制される。この結果、流れ込む前の勢いを保ったまま洗浄水が目皿の上面を流れるため、目皿を一層洗浄することができる。
【００１２】
本発明の第２態様に係る小便器では、第１態様において、前記目皿の上面は、水平面に対して傾斜しており、前記目皿の上面の傾斜方向と前記第２傾斜部の傾斜方向とが略同一である。
【００１３】
この構成によれば、目皿の上面の傾斜方向と第２傾斜部の傾斜方向とが略同一であるため、例えば目皿の上面の傾斜方向が第２傾斜部の傾斜方向よりも上方向となる場合に比べて、目皿の上面に流れる洗浄水の速度低下が抑制され、目皿より一層洗浄することができる。
【００１４】
本発明の第３態様に係る小便器では、第１態様又は第２態様において、前記排水口部に連通する排水室部と、前記凹部において前記排水口部と異なる箇所に設けられ、前記排水室部と連通する掃除口部と、前記掃除口部に着脱可能に取り付けられて前記掃除口部を閉塞する閉塞具と、を備え、前記目皿は、前記排水口部及び前記閉塞具を覆う大きさとされている。
【００１５】
この構成においては、目皿が排水口部及び閉塞具を覆う大きさとされているため、排水口部のみ覆う場合に比べて、目皿のサイズが大きくなって、当該目皿において洗浄水で洗浄されない不洗部が生じ易くなり、目皿に流れる洗浄水の速度の向上が求められる。そこで、第３態様の構成に第１態様や第２態様の構成を組み合わせれば、洗浄水の速度の向上が図れ、目皿の上面に対して洗浄水が幅広く流れて、目皿の不洗部を少なくすることができる。
【００１６】
本発明の第４態様に係る小便器では、第１態様乃至第３態様の何れか１つの態様において、前記目皿の上面は、中央部から上方に突出する頂上部と、前記頂上部から前記使用者に対して左方向下方に延びる第一洗浄面部と、前記頂上部から前記使用者に対して右方向下方に延びる第二洗浄面部と、を含む。
【００１７】
この構成によれば、左右方向下方に延びる第一洗浄面部及び第二洗浄面部により、目皿に当たった使用者の排尿が左右方向に跳ね易いため、当該排尿が使用者に向かって飛散することが抑制される。また、洗浄水の流れが頂上部により第一洗浄面部と第２洗浄面部とに分かれて勢いがつくため、目皿を一層洗浄することができる。
【００１８】
本発明の第５態様に係る小便器では、第４態様において、前記目皿の前記第一洗浄面部及び前記第二洗浄面部は、前記使用者に対して左右方向の断面において下方に向けて凹むアール形状である。
【００１９】
この構成によれば、第１洗浄面部及び第２洗浄面部に当って飛び跳ねる排尿の方向を上方向にすることができ、目皿の左右のボウル部、ひいては小便器外の左右の領域に排尿が飛び出ることを抑制できる。
【発明の効果】
【００２０】
本発明の小便器によれば、ボウル部を流れる洗浄水で目皿を一層洗浄することができる。
【図面の簡単な説明】
【００２１】
【図１】本発明の実施形態に係る小便器の側面断面図である。
【図２】図１に示す目皿の上面図である。
【図３】図２に示す目皿のＡ−Ａ矢視断面図と、Ｂ−Ｂ矢視断面図と、Ｃ−Ｃ矢視断面図とをまとめて示した図である。
【図４】図１に示す目皿の側面図である。
【図５】図１に示す小便器の下部拡大図である。
【発明を実施するための形態】
【００２２】
以下、添付図面を参照しながら本発明の複数の実施の形態について説明する。説明の理解を容易にするため、各図面において同一の構成要素に対しては可能な限り同一の符号を付して、重複する説明は省略する。
【００２３】
＜全体構成＞
図１は、本発明の実施形態に係る小便器１０の側面断面図である。ただし、図１では断面ハッチングの記載を省略している。
【００２４】
図１に示すように、小便器１０は、床面１２に設置されており、例えば上下に長い直方体である。小便器１０の背面は壁１４に取り付けられており、小便器１０の前面は開口して使用者に対向するようになっている。小便器１０は、男性の排尿を受けて、当該排尿を壁１４内の不図示の排水管まで排水する機能を有する。
【００２５】
ここで、小便器１０に対して使用者の方向を「前方向」とし、小便器１０に対して壁の方向を「後方向」とする。また、使用時に使用者が小便器１０と対向したとき、小便器１０に対して右手方向となる方向を「右方向」とし、小便器１０に対して左手方向となる方向を「左方向」とする。
【００２６】
このような小便器１０は、ボウル部２０と、吐水部２２と、凹部２４と、排水口部２６と、トラップ２８と、掃除口部３０と、目皿４０と、を備えている。
【００２７】
ボウル部２０は、前方且つ上方に向けて開口したボウル形状であり、使用者が排泄した排尿等の排泄物を受ける。ボウル部２０は、上下方向に延在し使用者と対向する背壁面２０Ａ及び当該背壁面２０Ａの下方向に位置する底面２０Ｂを有している。
【００２８】
背壁面２０Ａは、上方向から下方向に向けて傾斜して目皿４０から後退する第１傾斜部２０Ｃと、当該第１傾斜部２０Ｃの下端から屈曲して傾斜し目皿４０へ前進する第２傾斜部と、を有している。
【００２９】
吐水部２２は、ボウル部２０における上部に設けられている。また、吐水部２２は、背壁面２０Ａに形成された吐水口２２Ａを有している。この吐水部２２は、水道管等の図示しない水源から、使用者による洗浄開始操作を検出して動作するフラッシュバルブ等の図示しない開閉弁を介して供給される洗浄水を、吐水口２２Ａからボウル部２０の背壁面２０Ａに沿って下方向へ向けて吐水する。
【００３０】
凹部２４は、ボウル部２０の底面２０Ｂの略中央に形成される凹みであり、開口端面が、前方から後方向に向けて上昇するように傾斜している。さらに、凹部２４の上端周縁には段差２４Ａが形成されている。
【００３１】
排水口部２６は、凹部２４の底面を貫通するように形成され、吐水による洗浄水及び使用者の排尿をトラップ２８に向かって排水する。
【００３２】
トラップ２８は、断面視が略Ｕ字形状に形成されて、排水口部２６と壁１４内の不図示の排水管とを連通している。トラップ２８の後部には、排水室部２８Ａが形成されている。排水室部２８Ａは、排水口部２６から隠れているため掃除がし難いので、小便器１０には掃除口部３０が設けられている。
【００３３】
掃除口部３０は、凹部２４の底面において排水口部２６と異なる箇所で、且つ、排水室部２８Ａの上部に貫通して形成されている。この結果、掃除口部３０は、排水室部２８Ａと連通している。掃除口部３０の大きさは、例えば排水口部２６よりも小さくされている。この掃除口部３０には、当該掃除口部３０を閉塞する閉塞具３１が着脱可能に取り付けられている。
【００３４】
目皿４０は、例えば合成樹脂製で略平板状の部材である。この目皿４０は、排水口部の上方向に位置する凹部２４に取り付けられ、当該凹部２４を覆っている。すなわち、目皿４０は、排水口部２６及び閉塞具３１を覆うことが可能な大きさとされている。なお、本実施形態では、目皿４０には貫通孔が設けられておらず、吐水による洗浄水及び使用者の排尿は、凹部２４と目皿４０の間の隙間から排水されるようになっているが、目皿４０に貫通孔が設けられて当該貫通孔から吐水による洗浄水及び使用者の排尿が排水されてもよい。ただし、目皿４０において洗浄水が流れる領域を増やすという観点からは、目皿４０に貫通孔が設けられていないことが好ましい。
【００３５】
＜目皿４０の構成＞
図２は、目皿４０の上面図である。図３は、図２に示す目皿４０のＡ−Ａ矢視断面図と、Ｂ−Ｂ矢視断面図と、Ｃ−Ｃ矢視断面図とをまとめて示した図である。図４は、目皿４０の側面図である。
【００３６】
図２及び図３に示すように、目皿４０の上面は、中央部から上方向に突出する頂上部４２と、当該頂上部４２から使用者に対して左方向下方に延びる第一洗浄面部４４と、頂上部４２から使用者に対して右方向下方に延びる第二洗浄面部４６と、を有する。また、目皿４０の上面は、第一洗浄面部４４と第二洗浄面部４６の後方向に上側後端面４８と、第一洗浄面部４４と第二洗浄面部４６の前方向に上側前端面５０と、を含む。
【００３７】
頂上部４２は、目皿４０をフック等によって釣り上げるための摘み部分となる。頂上部４２は、上面視が例えば略楕円形状とされている。また、図３及び図４に示すように、頂上部４２は、前側部分及び後側部分において下方に向けて凹むアール形状となっている。
【００３８】
図３に戻って、第一洗浄面部４４及び第二洗浄面部４６も、使用者に対して左右方向の断面において下方に向けて凹むアール形状となっている。
【００３９】
＜目皿４０と背壁面２０Ａとの関係＞
次に、目皿４０と背壁面２０Ａとの関係について、図５を用いて具体的に説明する。図５は、図１に示す小便器１０の下部拡大図である。
【００４０】
図５に示すように、目皿４０の上面は水平面に対して傾斜しており、少なくとも目皿４０の第２傾斜部２０Ｄ側の部分である上側後端面４８の端部は、凹部２４に収まっている。また、目皿４０の上面の傾斜方向と第２傾斜部２０Ｄの傾斜方向とが略同一となっている。
【００４１】
なお、上記「目皿４０の上面の傾斜方向」とは、例えば、目皿４０の上面の前後方向の中心軸Ｏ（図２参照。）において頂上部４２を除く部分それぞれの傾斜方向を平均した方向である。また、上記「第２傾斜部２０Ｄの傾斜方向」とは、第２傾斜部２０Ｄそれぞれの部分の傾斜方向を平均した方向である。また、「目皿４０の上面の傾斜方向」と「第２傾斜部２０Ｄの傾斜方向」とを略同一とするためには、目皿４０及びボウル部２０のうち何れか一方或いは両方を工夫すればよい。本実施形態では、第２傾斜部２０Ｃをより後側に傾斜させ、第２傾斜部２０Ｄの傾斜角度を小さくし、また、凹部２４の段差２４Ａの傾斜方向を、第２傾斜部２０Ｃの傾斜方向と略同一にすることで、第２傾斜部２０Ｄの傾斜方向が目皿４０の上面の傾斜方向と略同一となるようにしている。
【００４２】
図５に戻って、目皿４０の上面において少なくとも第２傾斜部側の部分である上側後端面４８は、第２傾斜部２０Ｄと略面一となっている。なお、図５中では、上側後端面４８は、第２傾斜部２０Ｄから若干下方に落ちる段差が見られるものの、これは製造誤差の範囲であり、このような製造誤差の範囲の段差は、上記「略面一」に含むものとする。
【００４３】
＜効果＞
以上、本発明の実施形態に係る小便器１０において、吐水部２２からボウル部２０の背壁面２０Ａに沿って吐水された洗浄水は、背壁面２０Ａの第１傾斜部２０Ｃから第２傾斜部２０Ｄへと沿って流れ、そして底面２０Ｂの凹部２４に取り付けられた目皿４０まで流れて、当該目皿４０と凹部２４の間に形成される隙間を介して排水口部２６から排水される。
【００４４】
この際、ボウル部２０の背壁面２０Ａが、上方から下方に向けて傾斜して目皿から後退する第１傾斜部２０Ｃと、第１傾斜部２０Ｃの下端から傾斜して目皿へ前進する第２傾斜部２０Ｄと、を有するので、ボウル部２０の背壁面２０Ａが真っ直ぐな場合に比べて、洗浄水が目皿４０に流れ込むまでの距離を稼ぐことができ、もって洗浄水が目皿４０に流れ込む前の洗浄水の速度を大きくすることができる。
また、目皿４０の上面において少なくとも第２傾斜部２０Ｄ側の部分は、第２傾斜部２０Ｄと略面一となっているため、略面一でない場合に比べて、洗浄水が第２傾斜部２０Ｄから目皿４０に流れるときに当該目皿４０と衝突して、目皿４０の上面に流れ込む直前の洗浄水の速度低下が抑制される。この結果、流れ込む前の勢いを保ったまま洗浄水が目皿４０の上面を流れるため、目皿４０を一層洗浄することができる。
【００４５】
＜変形例＞
以上、本願の開示する技術の実施形態について説明したが、本願の開示する技術は、上記に限定されるものではない。
【００４６】
例えば、目皿４０の上面の傾斜方向と第２傾斜部２０Ｄの傾斜方向とが略同一である場合を説明したが、目皿４０の上面において少なくとも第２傾斜部２０Ｄ側の部分である上側後端面４８が第２傾斜部２０Ｄと略面一となっていれば、傾斜方向は互いに異なっていてもよい。
【００４７】
また、掃除口部３０は省略されてもよい。また、目皿４０の頂上部４２は省略されてもよい。
【００４８】
前述した各実施の形態が備える各要素は、技術的に可能な限りにおいて組み合わせることができ、これらを組み合わせたものも本発明の特徴を含む限り本発明の範囲に包含される。
【符号の説明】
【００４９】
１０：小便器
２０：ボウル部
２０Ａ：背壁面
２０Ｂ：底面
２０Ｃ：第１傾斜部
２０Ｄ：第２傾斜部
２２：吐水部
２２Ａ：吐水口
２４：凹部
２６：排水口部
２８Ａ：排水室部
３０：掃除口部
３１：閉塞具
４０：目皿
４２：頂上部
４４：第一洗浄面部
４６：第二洗浄面部
４８：上側後端面
５０：上側前端面
【図１】
2016160596.tif 000003
【図２】
2016160596.tif 000004
【図３】
2016160596.tif 000005
【図４】
2016160596.tif 000006
【図５】
2016160596.tif 000007